(57)【要約】【課題】  観光地等で撮影した写真等の製品をユーザの個人情報を提示することなく安全確実に希望する場所で受け取ることができるた製品引渡システムおよび方法を提供する。【解決手段】  観光地等で現地の業者を利用して記念写真等の撮影を行った際に、現地のアップロード端末２を使用してデータベースサーバ３へディジタルデータをアップロードし、このデータベースサーバ３で生成された識別情報の受け取りを現地のアップロード端末２を利用して済ませ、この識別情報のみに基いて、データベースサーバ３から各地のダウンロード端末４にディジタルデータをダウンロードする。【選択図】図１
2005269511.tif 000002
【特許請求の範囲】
【請求項１】
製品となるディジタルデータをネットワーク経由で遠隔地の購入者に提供するための製品引渡システムであって、
前記ネットワーク上に、アップロード端末とデータベースサーバとダウンロード端末とを配備し、
前記アップロード端末には、前記ディジタルデータを前記データベースサーバに送信するアップロードデータ送信手段と、前記データベースサーバから送信される識別情報を受信して出力する識別情報出力手段とを設け、
前記データベースサーバには、前記アップロード端末から送信されたディジタルデータを保存すると共に当該ディジタルデータに固有の識別情報を生成して前記アップロード端末に送信する識別情報生成手段と、前記識別情報生成手段により生成された識別情報と前記ディジタルデータとの対応関係を記憶する対応関係記憶手段と、前記ダウンロード端末から送信された識別情報が前記対応関係記憶手段に記憶されているか否かを判定する判定手段と、前記判定手段により識別情報の記憶が確認された場合にダウンロード端末から送信された識別情報に対応するディジタルデータを前記ダウンロード端末に送信するダウンロードデータ送信手段とを設け、
前記ダウンロード端末には、識別情報を入力するための入力手段と、入力された識別情報を前記データベースサーバに送信する識別情報送信手段と、前記データベースサーバから送信されたディジタルデータを可搬性のデータ記憶媒体に出力するディジタルデータ出力手段とを設けたとを特徴とする製品引渡システム。
【請求項２】
前記識別情報生成手段と前記識別情報送信手段に識別情報を暗号化する識別情報暗号化機能を配備する一方、前記識別情報出力手段と前記判定手段には暗号化された識別情報を復号化する識別情報復号化機能を配備したことを特徴とする請求項１記載の製品引渡システム。
【請求項３】
前記アップロードデータ送信手段にディジタルデータを暗号化するディジタルデータ暗号化機能を配備する一方、前記ディジタルデータ出力手段には暗号化されたディジタルデータを復号化するディジタルデータ復号化機能を配備したことを特徴とする請求項１記載の製品引渡システム。
【請求項４】
前記識別情報生成手段と前記識別情報送信手段に識別情報を暗号化する識別情報暗号化機能を配備し、かつ、前記アップロードデータ送信手段にディジタルデータを暗号化するディジタルデータ暗号化機能を配備する一方、
前記識別情報出力手段と前記判定手段には暗号化された識別情報を復号化する識別情報復号化機能を配備し、かつ、前記ディジタルデータ出力手段には暗号化されたディジタルデータを復号化するディジタルデータ復号化機能を配備したことを特徴とする請求項１記載の製品引渡システム。
【請求項５】
前記ダウンロード端末が、複数種のディジタルデータ出力手段を備え、何れかのディジタルデータ出力手段を選択的に使用して前記ディジタルデータを出力することを特徴とした請求項１，請求項２，請求項３または請求項４記載の製品引渡システム。
【請求項６】
製品となるディジタルデータをアップロード端末を用いてネットワーク上のデータベースサーバに送信する工程と、
前記データベースサーバが前記ディジタルデータを受信して保存すると共に当該ディジタルデータに固有の識別情報を生成して前記ディジタルデータとの対応関係を記憶し前記アップロード端末に前記識別情報を送信する工程と、
前記アップロード端末に送信された識別情報をユーザが受け取る工程と、
前記ネットワークに接続したダウンロード端末を設置した店舗に出向いたユーザが前記ダウンロード端末に識別情報を入力し、該ダウンロード端末を介して前記データベースサーバに識別情報を送信する工程と、
識別情報を受信したデータベースサーバが当該識別情報の記憶の有無を判定し、当該識別情報の記憶が確認された場合に当該識別情報に対応するディジタルデータを前記ダウンロード端末に送信する工程と、
前記ダウンロード端末が前記ディジタルデータを受信しディジタルデータ出力手段を介して可搬性のデータ記憶媒体に出力し前記ユーザに前記データ記憶媒体を引き渡す工程とを含むことを特徴とした製品引渡方法。
【請求項７】
前記ダウンロード端末に複数種のディジタルデータ出力手段を配備し、前記ユーザが指定した何れかのディジタルデータ出力手段を選択的に使用して前記ディジタルデータを可搬性のデータ記憶媒体に出力することを特徴とした請求項６記載の製品引渡方法。
【発明の詳細な説明】
【技術分野】
【０００１】
本発明は、観光地やゴルフ場等の遠隔地で業者が撮影した記念写真等の製品を一旦ディジタルデータ化し、インターネット等のネットワークを利用して、遠隔地のユーザに引き渡すための製品引渡システムおよび製品引渡方法の改良に関する。
【背景技術】
【０００２】
インターネット等のネットワークを利用して記念写真等の製品をユーザに引き渡すためのシステムや方法としては、既に、特許文献１に開示されるような写真プリント注文システムや特許文献２に開示されるようなプリントサービス方法が提案されている。
【０００３】
このうち、特許文献１に開示される写真プリント注文システムは、学校等の団体を対象として記念写真等のプリントの注文を取るためのもので、写真館がアクセス制限したウェブ上でＩＤと共に写真を公開し、写真に固有のＩＤに基いて写真の取り引きを行うようにしたものである。従って、学校等の団体がエンドユーザである学生等の個人情報を公開しない限り、写真自体に含まれる情報を除けば、写真館や第三者がエンドユーザの個人情報を取得することは困難である。
しかし、エンドユーザは、実質的なファイアウォールとして機能する学校等の団体を介して写真館との取り引きを行わなければならず、このシステムを個人的な用途で利用するのが難しい欠点がある。
【０００４】
特許文献２に開示されるプリントサービス方法は、ラボやサービスセンターに設置されたサーバとクライアント端末とをネットワークで接続し、引き渡しが可能となったプリントをユーザのクライアント端末に通知するようにしたものであり、少なくとも、ユーザの電子メールアドレスやクライアント端末のＩＰアドレス等の個人情報がラボやサービスセンター等に知れ渡る危険がある。
【０００５】
【特許文献１】特開２００２−２４３７２号公報
【特許文献２】特開２００２−１９１００１号公報
【発明の開示】
【発明が解決しようとする課題】
【０００６】
そこで、本発明の課題は、前記従来技術の不都合を改善し、ユーザの個人情報を他人に知られることなくインターネット等のネットワークを利用して、遠隔地の個人ユーザに製品を引き渡すことのできる製品引渡システムおよび製品引渡方法を提供することにある。
【課題を解決するための手段】
【０００７】
本発明の製品引渡システムは、製品となるディジタルデータをネットワーク経由で遠隔地の購入者に提供するための製品引渡システムであり、前記課題を達成するため、特に、
前記ネットワーク上に、アップロード端末とデータベースサーバとダウンロード端末とを配備し、
前記アップロード端末には、前記ディジタルデータを前記データベースサーバに送信するアップロードデータ送信手段と、前記データベースサーバから送信される識別情報を受信して出力する識別情報出力手段とを設け、
前記データベースサーバには、前記アップロード端末から送信されたディジタルデータを保存すると共に当該ディジタルデータに固有の識別情報を生成して前記アップロード端末に送信する識別情報生成手段と、前記識別情報生成手段により生成された識別情報と前記ディジタルデータとの対応関係を記憶する対応関係記憶手段と、前記ダウンロード端末から送信された識別情報が前記対応関係記憶手段に記憶されているか否かを判定する判定手段と、前記判定手段により識別情報の記憶が確認された場合にダウンロード端末から送信された識別情報に対応するディジタルデータを前記ダウンロード端末に送信するダウンロードデータ送信手段とを設け、
前記ダウンロード端末には、識別情報を入力するための入力手段と、入力された識別情報を前記データベースサーバに送信する識別情報送信手段と、前記データベースサーバから送信されたディジタルデータを可搬性のデータ記憶媒体に出力するディジタルデータ出力手段とを設けたとを特徴とする構成を有する。
【０００８】
観光地やゴルフ場等の遠隔地でユーザを対象とした記念写真等の撮影が行われると、まず、撮影を行った業者が写真等の製品をディジタルデータ化し、当該業者が所有するアップロード端末のアップロードデータ送信手段を介してネットワーク上のデータベースサーバに送信する。
ディジタルデータを受信したデータベースサーバは、当該ディジタルデータを保存すると共に識別情報生成手段によって当該ディジタルデータに固有の識別情報を生成し、前記アップロード端末に識別情報を送信し、この識別情報とディジタルデータとの対応関係を対応関係記憶手段に記憶させる。
データベースサーバから送信された識別情報を受信したアップロード端末は、識別情報出力手段を介して識別情報を出力し、ユーザが当該識別情報を其の場で受け取る。
その後、ダウンロード端末を設置した店舗に出向いたユーザがダウンロード端末の入力手段を利用してダウンロード端末に識別情報を入力すると、この識別情報がダウンロード端末の識別情報送信手段を介してデータベースサーバに送信される。
ダウンロード端末から送信された識別情報を受信したデータベースサーバは、この識別情報が対応関係記憶手段に記憶されているか否かを判定手段により判定し、識別情報の記憶が確認された場合にはダウンロードデータ送信手段を作動させて当該識別情報に対応するディジタルデータをダウンロード端末に送信する。
データベースサーバから送信されたディジタルデータを受信したダウンロード端末は、ディジタルデータ出力手段を介して当該ディジタルデータを可搬性のデータ記憶媒体に出力し、この可搬性のデータ記憶媒体をユーザに引き渡す。
以上に述べた通り、ユーザは、観光地やゴルフ場等の遠隔地で記念写真等の撮影を行った業者のアップロード端末から識別情報を其の場で受け取り、ダウンロード端末を設置した店舗に出向いてダウンロード端末に識別情報を入力するだけでディジタルデータ化された記念写真等の製品を受け取ることができるので、遠隔地の業者に記念写真等の撮影を依頼した場合であっても、製品の送り先となる住所や連絡のための電話番号あるいは電子メールアドレス、更には、本人の氏名等の個人情報を全く業者に告知することなくダウンロード端末のある最寄りの店舗で製品を受け取ることが可能となる。
【０００９】
更に、前記識別情報生成手段と前記識別情報送信手段に識別情報を暗号化する識別情報暗号化機能を配備する一方、前記識別情報出力手段と前記判定手段には暗号化された識別情報を復号化する識別情報復号化機能を配備することができる。
【００１０】
このような構成を適用した場合には、ネットワーク上を流れる識別情報が常に暗号化された状態となっているため、第三者が識別情報を把握することは困難となり、データベースサーバに記憶されたディジタルデータが第三者によって不当にダウンロードされることを未然に防止できる。
【００１１】
また、前記アップロードデータ送信手段にディジタルデータを暗号化するディジタルデータ暗号化機能を配備する一方、前記ディジタルデータ出力手段には暗号化されたディジタルデータを復号化するディジタルデータ復号化機能を配備するようにしてもよい。
【００１２】
このような構成を適用した場合、ネットワーク上を流れるディジタルデータが常に暗号化された状態となり、また、データベースサーバ内でもディジタルデータが暗号化された状態で記憶状態を保持されるので、ディジタルデータ化された写真等の製品それ自体に含まれる情報を保護することができる。
【００１３】
更には、前記識別情報生成手段と前記識別情報送信手段に識別情報を暗号化する識別情報暗号化機能を配備し、かつ、前記アップロードデータ送信手段にディジタルデータを暗号化するディジタルデータ暗号化機能を配備する一方、
前記識別情報出力手段と前記判定手段には暗号化された識別情報を復号化する識別情報復号化機能を配備し、かつ、前記ディジタルデータ出力手段には暗号化されたディジタルデータを復号化するディジタルデータ復号化機能を配備するようにしてもよい。
【００１４】
第三者が識別情報を把握することが困難となり、また、ディジタルデータ化された写真等の製品それ自体に含まれる情報も保護することができるので、ネットワークを利用した製品の引き渡しに関わるセキュリティが更に向上する。
【００１５】
また、前記ダウンロード端末に、複数種のディジタルデータ出力手段を配備し、何れかのディジタルデータ出力手段を選択的に使用してディジタルデータを出力するようにしてもよい。
【００１６】
ディジタルデータ出力手段としては、例えば、ディジタルデータをデータのまま読み出し可能に記憶する磁気記憶式や光学記憶式のデータ記憶媒体にディジタルデータを出力す各種のドライブ装置、あるいは、最終的な製品となる紙に画像をプリントするプリンタや、印画紙に画像を焼き付けるデジカメプリント機等を利用することができる。
【００１７】
本発明の製品引渡方法は、前記と同様の課題を達成するため、
製品となるディジタルデータをアップロード端末を用いてネットワーク上のデータベースサーバに送信する工程と、
前記データベースサーバが前記ディジタルデータを受信して保存すると共に当該ディジタルデータに固有の識別情報を生成して前記ディジタルデータとの対応関係を記憶し前記アップロード端末に前記識別情報を送信する工程と、
前記アップロード端末に送信された識別情報をユーザが受け取る工程と、
前記ネットワークに接続したダウンロード端末を設置した店舗に出向いたユーザが前記ダウンロード端末に識別情報を入力し、該ダウンロード端末を介して前記データベースサーバに識別情報を送信する工程と、
識別情報を受信したデータベースサーバが当該識別情報の記憶の有無を判定し、当該識別情報の記憶が確認された場合に当該識別情報に対応するディジタルデータを前記ダウンロード端末に送信する工程と、
前記ダウンロード端末が前記ディジタルデータを受信しディジタルデータ出力手段を介して可搬性のデータ記憶媒体に出力し前記ユーザに前記データ記憶媒体を引き渡す工程とを含むことを特徴とした構成を有する。
【００１８】
前記と同様、ユーザは、観光地やゴルフ場等の遠隔地で記念写真等の撮影を行った業者のアップロード端末から識別情報を其の場で受け取り、ダウンロード端末を設置した店舗に出向いてダウンロード端末に識別情報を入力するだけでディジタルデータ化された記念写真等の製品を受け取ることができるので、遠隔地の業者に記念写真等の撮影を依頼した場合であっても、製品の送り先となる住所や連絡のための電話番号あるいは電子メールアドレス、更には、本人の氏名等の個人情報を全く業者に告知することなくダウンロード端末のある最寄りの店舗で製品を受け取ることが可能となる。
【００１９】
更に、前記ダウンロード端末に複数種のディジタルデータ出力手段を配備し、前記ユーザが指定した何れかのディジタルデータ出力手段を選択的に使用して前記ディジタルデータを可搬性のデータ記憶媒体に出力するようにしてもよい。
【００２０】
ディジタルデータ出力手段としては、例えば、ディジタルデータをデータのまま読み出し可能に記憶する磁気記憶式や光学記憶式のデータ記憶媒体にディジタルデータを出力す各種のドライブ装置、あるいは、最終的な製品となる紙に画像をプリントするプリンタや、印画紙に画像を焼き付けるデジカメプリント機等を利用することができる。
【発明の効果】
【００２１】
本発明の製品引渡システムおよび製品引渡方法によれば、ユーザは、遠隔地で写真撮影等の仕事を依頼した業者のアップロード端末から識別情報を其の場で受け取り、ダウンロード端末を設置した店舗に出向いてダウンロード端末に識別情報を入力するだけでディジタルデータ化された製品を受け取ることができるので、遠隔地の業者に写真撮影等の仕事を依頼した場合であっても、製品の送り先となる住所や連絡のための電話番号あるいは電子メールアドレス、更には、本人の氏名等の個人情報を全く業者に告知することなくダウンロード端末のある最寄りの店舗で確実に製品を受け取ることができる。
【発明を実施するための最良の形態】
【００２２】
次に、本発明の製品引渡方法を実施するための最良の形態の一例について図面を参照して詳細に説明する。
【００２３】
図１は、本発明の製品引渡方法を適用した製品引渡システムの一例について示したブロック図であり、この製品引渡システム１は、概略において、アップロード端末２とデータベースサーバ３およびダウンロード端末４と、これらを相互に接続するインターネット等のネットワーク５によって構成される。
【００２４】
アップロード端末２は、例えば、観光地やゴルフ場等での撮影作業を預かる写真館等の業者の施設内に設置されるもので、これらのアップロード端末２は、ネットワーク５上に複数存在する。
【００２５】
また、ダウンロード端末４はユーザが記念写真等の製品を受け取るために設置されるものであるから、観光地やゴルフ場等を訪れるユーザが居住すると考えられる自宅や勤務先等をマーケットリサーチにより明確にし、その周辺のコンビニエンスストアやラボもしくはサービスビューロー等の店舗に設置することが望ましい。無論、写真館等の業者の施設内にアップロード端末２と共に設置するといったことも可能である。
【００２６】
データベースサーバ３は単にディジタルデータ化された記念写真等の製品を保管するだけであるから、ネットワーク５に接続される限り、その設置場所は問われない。
【００２７】
アップロード端末２は、図２に示されるように、通常のパーソナルコンピュータもしくはワークステーション等のコンピュータシステムによって構成することが可能である。
【００２８】
アップロード端末２は、演算処理用のＣＰＵ６と、ＣＰＵ６の駆動制御プログラム等を格納したＲＯＭ７、演算データの一時記憶等に利用されるＲＡＭ８、各種のアプリケーションプログラムやデータ等を記憶するためのハードディスクドライブ９と、周辺装置を接続するための入出力回路１０、ならびに、インターネット等のネットワーク５に接続するためのインターフェイス１１を備え、入出力回路１０には、キーボード１２，モニタ１３，プリンタ１４の他、ネガフィルムおよびリバーサルフィルム１７から画像をスキャンするためのフィルムスキャナ１５と、撮影済みのディジタルカメラ１８もしくは其の着脱式の画像記憶手段から画像のディジタルデータを取り込むための端子やスロット１６、例えば、ＵＳＢ対応端子やフラッシュメモリ用のスロット等が設けられている。モニタ１３およびプリンタ１４はアップロード端末２における識別情報出力手段の主要部として機能する。
【００２９】
データベースサーバ３は、図３に示されるように、通常のパーソナルコンピュータもしくはワークステーション等のコンピュータシステムによって構成することが可能である。このデータベースサーバ３も、前述したアップロード端末２と同様に、ＣＰＵ１９，ＲＯＭ２０，ＲＡＭ２１，インターネット等のネットワーク５に接続するためのインターフェイス２３，周辺装置を接続するための入出力回路２４を備え、入出力回路２４には、キーボード２５，モニタ２６等が接続されている。また、ハードディスクドライブ２２には十分な記憶容量があり、ネットワーク５上の複数のアップロード端末２から送信される多数の記念写真等のディジタルデータが格納されるようになっている。
【００３０】
図４はハードディスクドライブ２２の記憶領域の一部を利用して形成される識別情報管理テーブル２７の構成の概略を示した概念図であり、この実施の形態においては、識別情報管理テーブル２７がデータベースサーバ３の対応関係記憶手段として機能する。この識別情報管理テーブル２７には、アップロード端末２から送信されてハードディスクドライブ２２に格納された記念写真等のディジタルデータの所在を示すアドレスの値と、このディジタルデータに固有の識別情報との対応関係が一対一で記憶されるようになっている。
【００３１】
ダウンロード端末４は、図５に示されるように、通常のパーソナルコンピュータもしくはワークステーション等のコンピュータシステムか、あるいは、デジカメプリント機等の専用端末によって構成することが可能である。なお、ここでいうデジカメプリント機とはディジタル化された写真をユーザあるいは店舗内のオペレータの操作によって印画紙にプリントアウトするための専用端末である。ダウンロード端末４のＣＰＵ２８には、ＲＯＭ２９，ＲＡＭ３０，ハードディスクドライブ３１，インターネット等のネットワーク５に接続するためのインターフェイス３２，周辺装置を取り付けるための入出力回路３３が接続され、入出力回路３３には、キーボード３４，マウス３５，モニタ３６の他、データベースサーバ３から送信されたディジタルデータを可搬性のデータ記憶媒体であるプリント用紙に印画出力するためのディジタルデータ出力手段であるプリンタ３７や、データベースサーバ３から送信されたディジタルデータを可搬性のデータ記憶媒体であるＣＤにデータのまま読み出し可能に書き込むためのディジタルデータ出力手段であるＣＤ−Ｒ／Ｗ３８、更には、ＤＶＤ−Ｒ／Ｗ，ＭＯ，フロッピーディスクドライブ等の各種のディジタルデータ出力手段が併設されている。キーボード３４およびマウス３５はダウンロード端末４に識別情報を入力するための入力手段として機能する。
【００３２】
図６はアップロード端末２におけるアップロードデータ送信手段の主要部，識別情報出力手段の一部として機能するＣＰＵ６の処理動作の概略について示したフローチャート、図７はデータベースサーバ３における識別情報生成手段，判定手段，ダウンロードデータ送信手段の主要部として機能するＣＰＵ１９の処理動作の概略について示したフローチャート、図８はダウンロード端末４における識別情報送信手段の主要部として機能するＣＰＵ２８の処理動作の概略について示したフローチャートである。また、図９はアップロード端末２，データベースサーバ３，ダウンロード端末４からなる製品引渡システム１における全体的な作業の流れを示した作業工程図である。
【００３３】
次に、図６〜図８のフローチャートと図９の作業工程図を参照して製品引渡システム１の全体的な処理動作について具体的に説明する。
【００３４】
まず、遠隔地から訪れたユーザが、観光地やゴルフ場等での撮影作業を預かる業者に記念撮影等の作業を依頼すると、この業者が所有する銀塩カメラもしくはディジタルカメラ１８による撮影が行われる。
【００３５】
撮影作業終了後、業者はユーザを伴って写真館等の施設に一旦戻り、銀塩カメラを使用した場合では、フィルム１７の現像，停止，定着，乾燥処理を終えた後、フィルムスキャナ１５を使用してフィルム１７から一連の画像をスキャンしてディジタルデータに変換し、これらのディジタルデータをアップロード端末２のハードディスクドライブ９に一時記憶させる。
また、ディジタルカメラ１８を使用した場合には、ディジタルカメラ１８に接続されたＵＳＢケーブルもしくは其の着脱式の画像記憶手段を入出力回路１０の端子やスロット１６に接続し、画像のディジタルデータを其のままアップロード端末２のハードディスクドライブ９に一時記憶させる。
【００３６】
アップロード端末２のＣＰＵ６は、図６に示されるように、アップロード要求の入力確認と識別情報の受信確認を所定周期毎に繰り返し実行しており（ステップａ１，ステップａ４）、その空き時間で通常のコンピュータ処理（ステップａ７）を実行しているので、ステップＡ７の処理で画像スキャン用のアプリケーションプログラム等を起動すれば上述したハードディスクドライブ９へのディジタルデータの取り込みが可能である。
【００３７】
次いで、業者がアップロード端末２のキーボード１２を操作してアップロード端末２にアップロード要求を入力すると、ＣＰＵ６がステップａ１の処理でこの操作を検出する。
【００３８】
次いで、アップロード端末２の識別情報送信手段として機能するＣＰＵ６が公知の暗号化技術（ディジタルデータ暗号化機能）を使用して画像のディジタルデータを暗号化し（ステップａ２）、暗号化されたディジタルデータと当該アップロード端末２のＩＰアドレスをネットワーク５を介してデータベースサーバ３に送信する（ステップａ３）。
【００３９】
一方、データベースサーバ３のＣＰＵ１９は、図７に示されるように、アップロード端末２からのディジタルデータの送信の有無やダウンロード端末４からの識別情報の送信の有無を定常的に見張っており（ステップｂ１，ステップｂ６）、アップロード端末２からのディジタルデータの送信はステップｂ１の処理で検出される。
【００４０】
データベースサーバ３の識別情報生成手段として機能するＣＰＵ１９は、アップロード端末２から送信されたディジタルデータを読み込んでハードディスクドライブ２２に格納すると共に、このディジタルデータに固有の識別情報を文字および数字の組み合わせによって生成し（ステップｂ２）、当該ディジタルデータを格納したハードディスクドライブ２２の記憶領域の先頭アドレスと識別情報との関係を対応させて図４に示されるような識別情報管理テーブル２７に記憶させた後（ステップｂ３）、この識別情報を公知の暗号化技術（識別情報暗号化機能）を使用して暗号化し（ステップｂ４）、暗号化された識別情報を前述のＩＰアドレスを有するアップロード端末２に送信する（ステップｂ５）。
【００４１】
アップロード端末２のＣＰＵ６は図６におけるステップａ４の処理でデータベースサーバ３からの識別情報を受信し、識別情報出力手段の一部として機能するＣＰＵ６が公知の復号化技術（識別情報復号化機能）を使用して当該識別情報を復号化した後（ステップａ５）、識別情報出力手段の主要部として機能するモニタ１３に識別情報を表示するか、もしくは、識別情報出力手段の主要部として機能するプリンタ１４に識別情報を印字出力する（ステップａ６）。
【００４２】
ここで、ユーザは、モニタ１３に表示された識別情報を記憶するか、もしくは、プリンタ１４で出力された識別情報をメモとして持ち帰る。あるいは、アップロード端末２に備えられた赤外線通信手段や無線通信手段等を識別情報出力手段の主要部として利用し、アップロード端末２から識別情報を転送してユーザの携帯電話等のメモリに記憶させるようにしてもよい。
【００４３】
そして、観光地やゴルフ場等の遠隔地から帰還したユーザが前述の識別情報を携えて自宅や勤務先等の周辺のコンビニエンスストアやラボもしくはサービスビューロー等の店舗を訪れ、店舗内に配備されたダウンロード端末４を操作して所望する写真のディジタルデータもしくは最終的なプリントアウト等を受け取ることになる。
【００４４】
ダウンロード端末４のＣＰＵ２８は、図８に示されるように、ユーザによる識別情報の入力確認やデータベースサーバ３からのディジタルデータの受信確認を所定周期毎に繰り返し実行しており（ステップｃ１，ステップｃ４）、ユーザが入力手段としてのキーボード３４を操作して識別情報を入力すると、ＣＰＵ２８がステップｃ１の処理でこの識別情報の入力を検出する。次いで、識別情報送信手段の主要部として機能するＣＰＵ２８が公知の暗号化技術（識別情報暗号化機能）を使用して識別情報を暗号化し（ステップｃ２）、暗号化された識別情報と当該ダウンロード端末４のＩＰアドレスをネットワーク５を介してデータベースサーバ３に送信する（ステップｃ３）。
【００４５】
データベースサーバ３は図７に示されるステップｂ６の処理でダウンロード端末４からの識別情報を検出し、判定手段として機能するＣＰＵ１９が公知の復号化技術（識別情報復号化機能）を使用して当該識別情報を復号化した後（ステップｂ７）、この識別情報に基いて図４に示した識別情報管理テーブル２７を検索し（ステップｂ８）、ダウンロード端末４から送信された識別情報が識別情報管理テーブル２７に記憶されているか否かを判定する（ステップｂ９）。
【００４６】
ダウンロード端末４から送信された識別情報が識別情報管理テーブル２７に記憶されていることが確認された場合には、この識別情報に対応して識別情報管理テーブル２７に記憶されている先頭アドレスの値に基いて、ダウンロードデータ送信手段として機能するＣＰＵ１９が、ハードディスクドライブ２２の記憶領域から記念写真等のディジタルデータを読み込み、このディジタルデータをネットワーク５を介して対応するＩＰアドレスを有するダウンロード端末４に送信する（ステップｂ１０）。
【００４７】
ダウンロード端末４のＣＰＵ２８は図８に示されるステップｃ４の処理でディジタルデータの受信を確認し、ディジタルデータ出力手段の一部として機能するＣＰＵ２８が公知の復号化技術（ディジタルデータ復号化機能）を使用して当該ディジタルデータを復号化する（ステップｃ５）。そして、ユーザがキーボード３４やマウス３５を操作してディジタルデータの出力先を選択するまで待機し（ステップｃ６）、ユーザがディジタルデータの出力先を選択すると、ユーザの選択操作に応じ、例えば、プリンタ３７やＣＤ−Ｒ／Ｗ３８等に記念写真等のディジタルデータを出力する（ステップｃ７）。
【００４８】
プリンタ３７が選択された場合にはダウンロードされたディジタルデータに基いた画像が可搬性のデータ記憶媒体である紙に印画されて最終的な製品となり、また、ＣＤ−Ｒ／Ｗ３８等が選択された場合には、ダウンロードされたディジタルデータがデータのまま読み出し可能にＣＤに記憶されることになる。デジカメプリント機によってダウンロード端末４の機能を兼ねさせている場合では、印画紙に画像をプリントアウトすることも可能である。
【００４９】
最終的に、ユーザがプリントアウトやＣＤ等の最終出力を受け取った段階で製品の受け渡しに関連する処理が全て完了する。
【００５０】
以上に述べた通り、この実施の形態では、観光地やゴルフ場等の遠隔地で現地の業者を利用して記念写真等の撮影を行った際に、現地のアップロード端末２を使用してデータベースサーバ３へディジタルデータをアップロードし（ステップａ１〜ステップａ３）、このデータベースサーバ３で生成された識別情報の受け取りを現地のアップロード端末２を利用して済ませ（ステップａ４〜ステップａ６）、この識別情報のみに基いて、データベースサーバ３から各地のダウンロード端末４にディジタルデータをダウンロードするようにしているので（ステップｃ１〜ステップｃ３，ステップｂ６〜ステップｂ１０）、遠隔地の業者に記念写真等の撮影を依頼した場合であっても、製品の送り先となる住所や連絡のための電話番号あるいは電子メールアドレス、更には、本人の氏名等の個人情報を全く業者や店舗の従業員に告知することなく、ダウンロード端末４のある最寄りの店舗で製品を受け取ることができる（ステップｃ４〜ステップｃ７）。
【００５１】
しかも、ネットワーク５上を流れる識別情報やディジタルデータおよびデータベースサーバ３に格納されたディジタルデータが常に暗号化された状態となっているため、第三者が識別情報を把握することは困難であり、データベースサーバ３に記憶されたディジタルデータが第三者によって不当にダウンロードされることはなく、ディジタルデータ化された写真それ自体に含まれる情報も確実に保護することができる。
【００５２】
また、ダウンロード端末４にはプリンタ３７，ＣＤ−Ｒ／Ｗ３８等を始めとする複数種のディジタルデータ出力手段が配備されているので、ユーザは、業者の撮影した写真をそのまま最終的な作品として楽しむか、あるいは、自宅のパーソナルコンピュータやフォトレタッチ用のアプリケーションプログラム等を使用して最終的な作品として仕上げるか等の用途に応じて最終的な出力を自由に選択することができる。
【００５３】
そして、ダウンロード端末４はコンビニエンスストアやラボもしくはサービスビューローや写真館等の任意の店舗に設置することができるので、ユーザは遠隔地で撮影された写真等の製品を本人の希望する場所で本人の都合に合わせて受け取ることが可能である。
【産業上の利用可能性】
【００５４】
この発明は、写真等の製品の他、ディジタルデータに変換が可能な各種の製品に対して適用が可能である。例えば、商品開発等において商品の内容を機密にして商品各部の設計を複数の業者に分割発注するような場合の設計データの回収作業等に転用すれば、商品の機密を確実に保護することができる。
【図面の簡単な説明】
【００５５】
【図１】本発明の製品引渡方法を適用した製品引渡システムの一例について示したブロック図である。
【図２】製品引渡システムの一部を構成するアップロード端末の構成の概略を示した機能ブロック図である。
【図３】製品引渡システムの一部を構成するデータベースサーバの構成の概略を示した機能ブロック図である。
【図４】データベースサーバの対応関係記憶手段として機能する識別情報管理テーブルの構成の概略を示した概念図である。
【図５】製品引渡システムの一部を構成するダウンロード端末の構成の概略を示した機能ブロック図である。
【図６】アップロード端末におけるアップロードデータ送信手段の主要部，識別情報出力手段の一部として機能するＣＰＵの処理動作の概略について示したフローチャートである。
【図７】データベースサーバにおける識別情報生成手段，判定手段，ダウンロードデータ送信手段の主要部として機能するＣＰＵの処理動作の概略について示したフローチャートである。
【図８】ダウンロード端末における識別情報送信手段の主要部として機能するＣＰＵの処理動作の概略について示したフローチャートである。
【図９】製品引渡システムにおける全体的な作業の流れを示した作業工程図である。
【符号の説明】
【００５６】
１  製品引渡システム
２  アップロード端末
３  データベースサーバ
４  ダウンロード端末
５  ネットワーク
６  ＣＰＵ（アップロードデータ送信手段の主要部，識別情報出力手段の一部）
７  ＲＯＭ
８  ＲＡＭ
９  ハードディスクドライブ
１０  入出力回路
１１  インターフェイス
１２  キーボード
１３  モニタ（識別情報出力手段の主要部）
１４  プリンタ（識別情報出力手段の主要部）
１５  フィルムスキャナ
１６  端子やスロット
１７  フィルム
１８  ディジタルカメラ
１９  ＣＰＵ（識別情報生成手段，判定手段，ダウンロードデータ送信手段の主要部）
２０  ＲＯＭ
２１  ＲＡＭ
２２  ハードディスクドライブ
２３  インターフェイス
２４  入出力回路
２５  キーボード
２６  モニタ
２７  識別情報管理テーブル（対応関係記憶手段）
２８  ＣＰＵ（識別情報送信手段の主要部）
２９  ＲＯＭ
３０  ＲＡＭ
３１  ハードディスクドライブ
３２  インターフェイス
３３  入出力回路
３４  キーボード（入力手段）
３５  マウス
３６  モニタ
３７  プリンタ（ディジタルデータ出力手段）
３８  ＣＤ−Ｒ／Ｗ（ディジタルデータ出力手段）
【図１】
2005269511.tif 000003
【図２】
2005269511.tif 000004
【図３】
2005269511.tif 000005
【図４】
2005269511.tif 000006
【図５】
2005269511.tif 000007
【図６】
2005269511.tif 000008
【図７】
2005269511.tif 000009
【図８】
2005269511.tif 000010
【図９】
2005269511.tif 000011